(57)【要約】      （修正有）【課題】簡易な構成で、ゲルマニウムを用いた健康増進効果が得られる健康器具を提供する。【解決手段】健康器具１は、下ケース２ａと、下ケースに対して嵌合する上ケース２ｂとを含み、下ケースおよび上ケースの間に内部空間が形成されたケース本体と、ケース本体の内部空間に収容されて、少なくとも上ケースを加熱するヒータ３と、ケース本体の内部空間に収容されて、ヒータへ供給される電流の給電制御を行う基板部４と、上ケースの表面上に固定されて、表面から突出する１つまたは複数の突出片１０と、を備える。突出片は、ゲルマニウム、ゲルマニウム合金またはゲルマニウム酸化物を含有する。【選択図】図２
0003218414.tif 000002
【実用新案登録請求の範囲】
【請求項１】
第１ケースと、前記第１ケースに対して嵌合する第２ケースとを含み、前記第１ケースおよび前記第２ケースの間に内部空間が形成されたケース本体と、
前記ケース本体の前記内部空間に収容されて、少なくとも前記第２ケースを加熱するヒータと、
前記ケース本体の前記内部空間に収容されて、前記ヒータへ供給される電流の給電制御を行う基板部と、
前記第２ケースの表面上に固定されて、前記表面から突出する１つまたは複数の突出片と、を備え、
前記突出片は、ゲルマニウム、ゲルマニウム合金またはゲルマニウム酸化物を含有する、健康器具。
【請求項２】
前記第２ケースの表面には、前記突出片の下部に対応する形状の１つまたは複数の窪み部が設けられており、前記第２ケースの前記窪み部に前記突出片の下部が嵌め込まれている、請求項１に記載の健康器具。
【請求項３】
前記ケース本体には、電流を外部から供給するためのケーブルが接続される接続口が設けられており、前記接続口を介して前記ケーブルが前記基板部に接続可能になっており、
前記ケース本体の前記内部空間には、バッテリは収容されていない、請求項１または２に記載の健康器具。
【請求項４】
前記突出片は、９５重量％以上のゲルマニウム、ゲルマニウム合金またはゲルマニウム酸化物を含有する、請求項１〜３のいずれか一項に記載の健康器具。
【請求項５】
前記ケース本体の前記内部空間に収容され、袋体と、前記袋体の中に収納されたハーブ茶葉とを含む芳香袋を更に備える、請求項１〜４のいずれか一項に記載の健康器具。
【考案の詳細な説明】
【技術分野】
【０００１】
本考案は、健康器具に関し、特にゲルマニウムを用いた健康器具に関する。
【背景技術】
【０００２】
特許文献１に記載されるように、回転可能に設置された円筒形のローラ本体と、ローラ本体を保持する把持部材と、ローラ本体の内部に配置されたヒータとを有するマッサージ器が知られている。ローラ本体はゲルマニウム製である。ローラ本体はヒータによって所定温度に加熱される。特許文献１には、肉厚で高純度のゲルマニウムから放出されるマイナス自由電子を加熱により活性化させることで、美顔、美肌または健康効果が高められる旨が記載されている。
【先行技術文献】
【特許文献】
【０００３】
【特許文献１】特開２００８−３６２４７号公報
【考案の概要】
【考案が解決しようとする課題】
【０００４】
特許文献１に記載されたマッサージ器では、ゲルマニウム製のローラ本体の内部にヒータが配置され、把持部材およびアームを介してローラ本体が取り付けられる。ヒータに対して給電を行う一方で、ローラ本体を回転可能に保持するため、構成が複雑になりがちである。
【０００５】
本考案は、簡易な構成で、ゲルマニウムを用いた健康増進効果が得られる健康器具を提供することを目的とする。
【課題を解決するための手段】
【０００６】
本考案の一態様に係る健康器具は、第１ケースと、第１ケースに対して嵌合する第２ケースとを含み、第１ケースおよび第２ケースの間に内部空間が形成されたケース本体と、ケース本体の内部空間に収容されて、少なくとも第２ケースを加熱するヒータと、ケース本体の内部空間に収容されて、ヒータへ供給される電流の給電制御を行う基板部と、第２ケースの表面上に固定されて、表面から突出する１つまたは複数の突出片と、を備え、突出片は、ゲルマニウム、ゲルマニウム合金またはゲルマニウム酸化物を含有する。
【０００７】
この健康器具によれば、ケース本体の内部空間に、ヒータと基板部とが収容される。基板部からヒータへ電流が供給されて、ヒータが発熱する。ヒータは、少なくとも第２ケースを加熱する。第２ケースの表面上には、ゲルマニウム、ゲルマニウム合金またはゲルマニウム酸化物を含有する１つまたは複数の突出片が固定されている。第２ケースがヒータにより加熱されると、第２ケースを介して突出片も加熱される。所定の温度に加熱された突出片が、使用者の体の一部に当てられることで、使用者に対してカイロのような温熱効果をもたらすことができる。更に、ゲルマニウム成分に起因する効果（遠赤外効果など）により、健康増進効果が得られる。この健康器具は、ケース本体に内蔵された発熱に係る構成と、ケース本体の表面に固定されたゲルマニウム含有片とからなる簡易な構成を有している。可動部がなく、単純な構成であるため、使用者にとって用いやすい。
【０００８】
第２ケースの表面には、突出片の下部に対応する形状の１つまたは複数の窪み部が設けられており、第２ケースの窪み部に突出片の下部が嵌め込まれてもよい。この場合、第２ケースに、突出片がより確実に固定される。たとえばケース本体を持った使用者が、体の一部に健康器具をあてがいながら、体に沿って滑らせるように健康器具を動かしても、突出片が脱落するようなことがない。また、第２ケースの肉厚が、窪み部では薄くなるため、突出片に熱が伝わりやすく、突出片を所定の温度に保ちやすい。
【０００９】
ケース本体には、電流を外部から供給するためのケーブルが接続される接続口が設けられており、接続口を介してケーブルが基板部に接続可能になっており、ケース本体の内部空間には、バッテリは収容されていなくてもよい。この場合、外部の電源からヒータに電流が供給される。ケース本体にはバッテリは設けられないので、より簡易な構成が実現されている。また、バッテリの設置に起因する不具合などが回避されている。
【００１０】
突出片は、９５重量％以上のゲルマニウム、ゲルマニウム合金またはゲルマニウム酸化物を含有してもよい。この場合、ゲルマニウム成分に起因する効果をより一層好適に得ることができる。
【００１１】
健康器具は、ケース本体の内部空間に収容され、袋体と、その袋体の中に収納されたハーブ茶葉とを含む芳香袋を更に備えてもよい。この場合、芳香袋がヒータによって加温されることにより、袋体内のハーブ茶葉は、効果的な芳香を発し得る。その芳香は、使用者に対するリラックス効果等を及ぼし得る。
【考案の効果】
【００１２】
本考案によれば、簡易な構成で、ゲルマニウムを用いた健康増進効果が得られる。
【図面の簡単な説明】
【００１３】
【図１】図１は、本考案の一実施形態に係る健康器具を示す斜視図である。
【図２】図２は、図１の健康器具の分解斜視図である。
【図３】図３は、図１のＩＩＩ−ＩＩＩ線に沿う断面図である。
【図４】図４は、健康器具の使用態様の一例を示す図である。
【図５】図５は、変形形態に係る健康器具の断面図である。
【考案を実施するための形態】
【００１４】
以下、本考案の実施形態について、図面を参照しながら詳細に説明する。なお、図面の説明において、同一の要素同士、或いは、相当する要素同士には、互いに同一の符号を付し、重複する説明を省略する場合がある。
【００１５】
図１および図２を参照して、本実施形態の健康器具１の構造について説明する。健康器具１は、たとえば使用者が手に持って、体の一部にあてがうことで、健康増進効果を奏する器具である。健康器具１は、使用者の体の一部に直接当てられてもよいし、衣服の上から当てられてもよい。体の一部は、たとえば使用者の患部であってもよいし、患部ではない他の部分であってもよい。体の一部は、腕、肩、脚などであってもよく、頭であってもよい。
【００１６】
健康器具１は、使用者の手に収まる程度の大きさを有するケース本体２と、ケース本体２の内部空間Ｓに収容されたヒータ３とを備える。ケース本体２は、たとえば薄型の直方体状を呈しており、スマートフォンと同様の形状および大きさを有する。ケース本体２は、たとえばＡＢＳ樹脂からなる。ケース本体２は、下ケース２ａ（第１ケース）と、下ケース２ａに対して嵌合する上ケース（第２ケース）２ｂとを含む。下ケース２ａは、上方に向けて開放されており、所定の容積を有する。下ケース２ａは、ケース本体２の短辺に相当する第１側面２ａａと、ケース本体２の長辺に相当する第２側面２ａｂとを含む。板状の上ケース２ｂは、下ケース２ａの開放部に嵌まり込む大きさおよび形状（長方形）を有する。図２に示されるように、上ケース２ｂの周縁部には、下方に向けて突出する複数の係合片１３が設けられている。下ケース２ａの第１側面２ａａおよび第２側面２ａｂの内面側には、複数の突起１２が設けられている。下ケース２ａに上ケース２ｂが嵌め合わされたとき、各突起１２に各係合片１３が係合する。これにより、上ケース２ｂは下ケース２ａに取り付けられ、これらの間に内部空間Ｓ（図３参照）が形成される。
【００１７】
内部ヒータであるヒータ３は、長方形板状のアルミシート３ｃと、アルミシート３ｃ上に配置された電熱フィルム３ｄとを含む。電熱フィルム３ｄには、外部から電流が供給される。ヒータ３は、電熱フィルム３ｄに電流が供給されることにより、電熱フィルム３ｄが発熱するように構成されている。電熱フィルム３ｄの発熱に伴って、アルミシート３ｃが加熱される。ヒータ３は、たとえば両面発熱式の発熱シートである。
【００１８】
図３に示されるように、下ケース２ａの内面には、ヒータ３のアルミシート３ｃを支持する支持片１６が設けられてもよい。これにより、ヒータ３の下面３ａと下ケース２ａとの間に所定の隙間が形成される。また、上ケース２ｂの内面に、ヒータ３のアルミシート３ｃに当接する当接片が設けられてもよい。ヒータ３の上面３ｂと上ケース２ｂとの間に所定の隙間が形成されてもよい。あるいは、ヒータ３の上面３ｂが上ケース２ｂの裏面に当接してもよい。ヒータ３が発熱すると、ケース本体２が加熱される。ヒータ３は、少なくとも上ケース２ｂを加熱するように構成されている。ヒータ３が上ケース２ｂのみを加熱するように構成される場合には、ヒータ３は、片面発熱式の発熱シートであってもよい。
【００１９】
図２に示されるように、健康器具１は、ケース本体２の内部空間Ｓに収容された基板部４を更に備える。基板部４は、基板部４へ供給される電流の給電制御を行う。基板部４は、公知のプリント配線基板であり、たとえばガラスエポキシ樹脂製の基材と、基材に形成された回路と、基材上に設けられた電子部品とを含む。基板部４は、電圧調整を行い得る。基板部４は、２本の配線６によって、ヒータ３に接続されている。基板部４は、内部空間Ｓにおいて、ヒータ３とは別の領域に設けられている。基板部４の設置領域と、ヒータ３の設置領域との間に、仕切り部２ｅが設けられてもよい。下ケース２ａの第２側面２ａｂには切欠き１８が形成されており、この切欠き１８に、スイッチ８が取り付けられる。スイッチ８は基板部４に接続されており、使用者がスイッチ８をオン・オフすることにより、基板部４からヒータ３への給電がオン・オフされる。
【００２０】
下ケース２ａの第１側面２ａａの中央部には、電流を外部から供給するためのケーブル２０が接続される接続口７が設けられている。図４に示されるように、この接続口７を介して、給電用のケーブル２０が基板部４に接続可能になっている。健康器具１には、たとえばＰＣ（パーソナルコンピュータ）１００の本体１０１のＵＳＢ端子１０１ａに接続されたケーブル２０から、電流が入力される。なお、健康器具１がＰＣ１００に接続される態様に限られず、健康器具１は、たとえばモバイルバッテリ等に接続され、使用されてもよい。健康器具１は、たとえば１００Ｖのコンセントに接続され、使用されてもよい。健康器具１のケース本体２には、バッテリは収納されていない。健康器具１は、バッテリ非内蔵型の器具である。
【００２１】
図１〜図３に示されるように、健康器具１は、上ケース２ｂの表面２ｂａ上に固定されて、表面２ｂａから突出する複数の突出片１０を備える。各突出片１０は、たとえば半球状を呈する。各突出片１０は、平坦な底面１０ｂを含み、上ケース２ｂの表面２ｂａから、球面状部分が突出している。この球面状部分が、使用者の人体にあてがわれる。各突出片１０は、上ケース２ｂに接着等により固定されている。たとえば、６個の突出片１０が、正六角形の頂点の位置に配置され、１個の突出片１０が、６個の突出片１０に囲まれた中央部に配置される。突出片１０の配置は、適宜に変更され得る。各突出片１０の大きさや形状も、適宜に変更され得る。１つのみの突出片１０が設けられてもよい。
【００２２】
図２および図３に示されるように、上ケース２ｂの表面２ｂａには、突出片１０の下部１０ａに対応する形状の（すなわち本実施形態では円形の）複数の窪み部２ｃが設けられている。上ケース２ｂの各窪み部２ｃに、各突出片１０の下部１０ａが嵌め込まれている。窪み部２ｃの底面である円形の接合面１１に、突出片１０の底面１０ｂが当接し、接着剤などによって接合されている。窪み部２ｃが設けられた部分では、上ケース２ｂの肉厚が薄くなった薄肉部２ｄが形成されている。すなわち、突出片１０は薄肉部２ｄ上に設けられている。このような窪み部２ｃに突出片１０が嵌め込まれた構造により、突出片１０がより強固に上ケース２ｂ上に取り付けられており、突出片１０の脱落等が防止されている。
【００２３】
各突出片１０の直径（幅）は、たとえば５〜１０ｍｍであってもよい。窪み部２ｃの深さは、たとえば０．５〜１ｍｍであってもよい。窪み部２ｃの深さは、突出片１０の直径（幅）の１０分の１以下であってもよい。
【００２４】
各突出片１０は、ゲルマニウム、ゲルマニウム合金、またはゲルマニウム酸化物を含有している。本実施形態では、各突出片１０として、９９．９９重量％の純度を有するゲルマニウム片が用いられている。突出片１０は、ゲルマニウム成分を含有することにより、特有の効果（遠赤外効果など）を発揮する。突出片１０は、９５重量％以上のゲルマニウム、ゲルマニウム合金、またはゲルマニウム酸化物を含有することにより、一層有効な効果が得られる。
【００２５】
ゲルマニウムは、最外殻に４個の価電子を有するが、たとえば炭素やケイ素等に比して、比較的低いバンドギャップ（エネルギーギャップ）を有する。ゲルマニウムのバンドギャップは、約０．７ｅＶであることが知られている。このことは、ゲルマニウムの高い遠赤外効果に寄与している。たとえば、ゲルマニウムに微量のインジウムを加える等により、突出片１０がＰ型半導体の性質を示すようにすると、突出片１０の遠赤外効果が高められる。
【００２６】
突出片１０は、ヒータ３によって加熱された上ケース２ｂにより、加熱される。突出片１０の温度は、人体に火傷を生じさせるような温度よりも低い温度に設定されており、安全が保たれている。ヒータ３がオンされた際の突出片１０の設定温度は、たとえば３８℃〜５０℃であってもよく、あるいは４０℃〜４８℃であってもよい。上記した基板部４が、温度調整機能を有してもよい。たとえば、基板部４における温度調整機能を調節可能な操作部（温度調節ダイヤル等）がケース本体２の外面側に設けられてもよい。操作部は、使用者によって、上記温度範囲内の複数の温度に（段階的に）調節可能なものであってもよい。たとえば、４０℃、４３℃、および４５℃の３段階に温度が設定可能であってもよい。たとえば、３８℃から１度刻みで温度が設定可能であってもよい。基板部４は、たとえば、上記温度範囲の上限値でヒータ３がオフとなるように、ヒータ３を制御してもよい。基板部４は、たとえば５０℃でヒータ３がオフとなるように、ヒータ３を制御してもよい。
【００２７】
以上説明した本実施形態の健康器具１によれば、ケース本体２の内部空間Ｓに、ヒータ３と基板部４とが収容される。基板部４からヒータ３へ電流が供給されて、ヒータ３が発熱する。ヒータ３は、少なくとも上ケース２ｂを加熱する。上ケース２ｂの表面２ｂａ上には、ゲルマニウム、ゲルマニウム合金またはゲルマニウム酸化物を含有する複数の突出片１０が固定されている。上ケース２ｂがヒータ３により加熱されると、上ケース２ｂを介して突出片１０も加熱される。所定の温度に加熱された突出片１０が、使用者の体の一部に当てられることで、使用者に対してカイロのような温熱効果をもたらすことができる。更に、ゲルマニウム成分に起因する効果（遠赤外効果など）により、健康増進効果が得られる。この健康器具１は、ケース本体２に内蔵された発熱に係る構成と、ケース本体２の表面２ｂａに固定されたゲルマニウム含有片とからなる簡易な構成を有している。可動部がなく、単純な構成であるため、使用者にとって用いやすくなっている。
【００２８】
上ケース２ｂの窪み部２ｃに突出片１０の下部１０ａが嵌め込まれているので、上ケース２ｂに、突出片１０がより確実に固定される。たとえばケース本体２を持った使用者が、体の一部に健康器具１をあてがいながら、体に沿って滑らせるように健康器具１を動かしても、突出片１０が脱落するようなことがない。また、上ケース２ｂの肉厚が、窪み部２ｃでは薄くなるため、突出片１０に熱が伝わりやすく、突出片１０を所定の温度に保ちやすい。
【００２９】
健康器具１には、外部の電源からヒータ３に電流が供給される。ケース本体２にはバッテリは設けられないので、より簡易な構成が実現されている。また、バッテリの設置に起因する不具合（たとえば故障に基づく発火等）が回避されている。
【００３０】
突出片は、９５重量％以上のゲルマニウム、ゲルマニウム合金またはゲルマニウム酸化物を含有するので、ゲルマニウム成分に起因する効果をより一層好適に得ることができる。
【００３１】
突出片１０の温度が上述した温度に調整されると、ゲルマニウムの遠赤外効果に併せ、使用者に対して、人体の体温よりも若干高い温度をもって、突出片１０が使用者の体の一部に当てられる。このことは、人体に対する血管拡張作用や血流の良好化、ひいては栄養を行き渡らせる作用を奏し得る。人体の体温よりも若干高い温度は、波長の観点でも人体に好影響を及ぼし得る。さらには、ゲルマニウムが最外殻電子を放出することで形成されたポジティヴ・ホールに電子が取り込まれる作用は、人体に生じた不定愁訴箇所やガン細胞等に作用して、その電位を正常化するといった効果も奏し得る。ゲルマニウムが有する電気的な作用は、電気信号で成り立つ神経系や、その他内分泌系にも有効に作用する。特に、健康器具１を頭部にあてがった場合には、脳情報系に対して効果的に作用する。このように、健康器具１は、人体のメカニズムに対して効果的に作用し、健康増進効果（人体の機能の正常化効果を含む）に優れる。
【００３２】
以上、本考案の実施形態について説明したが、本考案は上記実施形態に限られない。たとえば、図５に示されるように、ケース本体２の内部空間Ｓに、アロマ効果を発揮し得る芳香袋３０が収容された健康器具１Ａが提供されてもよい。たとえば、芳香袋３０は、プラスチック製（一例としてポリプロピレン製等）の袋体３１と、その袋体３１の中に収納されたハーブ茶葉３２とを含む。芳香袋３０は、たとえば、ケース本体２の内部であって、上ケース２ｂとヒータ３との間に設置されることができる。そのため、芳香袋３０は、全体として平坦な形状をなす。より詳細には、芳香袋３０は、突出片１０に対する加熱の妨げとならないよう、平面視において、突出片１０が設けられていない領域にのみ配置されることが好ましい。芳香袋３０を所定位置に保持するための保持構造がケース本体２内に設けられてもよい。また別の形態として、芳香袋３０が、ヒータ３の下面３ａと下ケース２ａとの間に設置されてもよい。この場合、芳香袋３０が上ケース２ｂ（突出片１０）とは反対側に収納されるので、平面視における芳香袋３０の配置に関わらず、芳香袋３０は、突出片１０に対する加熱の妨げにはならない。ヒータ３の下面３ａ側に芳香袋３０が設けられる場合には、たとえば支持片１６の高さを高くする等により、芳香袋３０の収納場所（空間）を確保することができる。芳香袋３０の袋体３１は、ヒータ３に当接してもよいし、ヒータ３に当接しなくてもよい。
【００３３】
袋体３１内に収納されるハーブ茶葉３２としては、細かく粉砕されたものを用いるのが好ましい。芳香袋３０がヒータ３によって加温されることにより、袋体３１内のハーブ茶葉３２は、効果的な芳香を発し得る。その芳香は、ケース本体２の隙間から外部に発散し、使用者に対するリラックス効果等を及ぼし得る。袋体３１として、細かいメッシュ（多数の細孔）が形成されたものを採用するとより効果的である。その場合、孔のサイズは、ハーブ茶葉３２の流出を防止し得るサイズであればよく、適宜に設定され得る。また、プラスチック製の袋体３１によれば、芳香成分の袋体３１への吸着を抑えることができる。袋体３１として紙製のものを用いた場合は、芳香成分が袋体に吸収され得るので、望ましくないと考えられる。
【００３４】
より具体的には、健康器具１に使用されるハーブ茶葉３２としては、以下の茶葉が挙げられる。すなわち、ローズレッド、ローズダマスク、ローズマリー、ラベンダー、マローブルー、オリーブリーフ、レッドクローバー、レモンバーム、ダンディライオンリーフ、ホワイトウイロウ、リコリス、リンデンフラワーから選ばれるいずれか一種または複数種の茶葉が、上記芳香袋３０のハーブ茶葉３２として採用され得る。芳香袋３０が内蔵された健康器具１Ａによれば、上記実施形態の健康器具１に加えて、リラックス効果等が奏される。
【００３５】
ケース本体２の表面に窪み部が設けられず、平坦な表面上に突出片が固定されてもよい。健康器具は、ケース本体にバッテリを内蔵してもよい。その場合、外部の電源により、接続口７を介してバッテリが充電される。健康器具の使用時に、ケーブル２０を用いて健康器具を電源に接続する必要がなくなる。
（試験例）
【００３６】
上記実施形態の健康器具１と同様の構成を有する試験器具を作製して試験を行った。試験方法としては、突出片１０の設定温度を４５℃とし、１日あたり１５分間、毎日、試験者（１名）の体の一部に試験器具をあてがった。具体的には、突出片１０が、試験者が着用する衣服（１枚の肌着程度の衣服）を介して、試験者の体の一部に押し付けられるようにし、１０秒間に３〜５往復程度の速さで、突出片１０をその部分に対して往復させて擦り（撫で）つけた。１５分の間、頭部、胸部、肩部、腕部、足の裏などに、試験器具の突出片１０をまんべんなく当て、身体に沿って動かした。
【００３７】
上記の試験を連続して３０日間行った結果、不定愁訴が改善されると共に、血流の改善が見られ、気持ちの良さが実感された。また凝り固まった筋肉が温められて柔らかくなると共に、関節の可動域が広がるといった効果が表れた。これらの効果は、同じ試験者が、突出片を備えるがヒータおよび基板部を備えない比較例に係る器具を用いて、１日あたり１５分間、３０日間連続して試験した際には得られなかったものであった。その場合の突出片の温度は、室温と同程度であり、３０℃未満であった。
【符号の説明】
【００３８】
１、１Ａ…健康器具、２…ケース本体、２ａ…下ケース（第１ケース）、２ｂ…上ケース（第２ケース）、２ｂａ…表面、２ｃ…窪み部、３…ヒータ、４…基板部、７…接続口、８…スイッチ、１０…突出片、１０ａ…下部、２０…ケーブル、３０…芳香袋、３１…袋体、３２…ハーブ茶葉、Ｓ…内部空間。
【図１】
0003218414.tif 000003
【図２】
0003218414.tif 000004
【図３】
0003218414.tif 000005
【図４】
0003218414.tif 000006
【図５】
0003218414.tif 000007